(57)【要約】      （修正有）【課題】ガスカートリッジ取付装置を玩具銃本体から取り外す際に必要とされる、第１係止部を押す、次いで、第２係止部を押すという２つの動作を一連の動作で可能とする。【解決手段】玩具銃１１は、玩具銃本体１２と、玩具銃本体１２に取り付けられる玩具銃用ガスカートリッジ取付装置４１とを備え、玩具銃本体１２は、本体側連結弁の周囲に設けられた取付装置収納部２３を有し、玩具銃用ガスカートリッジ取付装置４１端部が、玩具銃本体１２側に設けられた取付装置収納部２３へ収納された場合の取付時には、本体側第１係止部１１１と係止するとともに、玩具銃用ガスカートリッジ取付装置４１の玩具銃本体１２への取付状態からの離脱時には、本体側第２係止部１２１と係止する取付装置側係止部とを備える玩具銃。【選択図】図１
2014224634.tif 000002
【特許請求の範囲】
【請求項１】
玩具銃本体と、玩具銃本体に取り付けられる玩具銃用ガスカートリッジ取付装置とを備え、
玩具銃本体は、
圧縮ガスを外部から導入し、玩具銃本体内部に供給する本体側連結弁と、
本体側連結弁の周囲に設けられた取付装置収納部と、
中間で、先端及び後端を、取付装置収納部内部方向又は取付装置収納部外部方向へ回転自在とさせる棒状体回転軸により取付装置収納部の側面に取り付けられ、先端は取付装置収納部の内部に向けて付勢される棒状体と、
取付装置収納部の上部に位置し、かつ、棒状体先端に設けられて、玩具銃用ガスカートリッジ取付装置の玩具銃本体側端部を、取付装置収納部の開口部から挿入させた玩具銃本体への取付時に、玩具銃用ガスカートリッジ取付装置に設けられた取付装置側係止部に係止する、本体側第１係止部と、
棒状体の、棒状体回転軸よりも後端側かつ本体側第１係止部より後端に設けられて、玩具銃用ガスカートリッジ取付装置の玩具銃本体への取付状態からの離脱時に、玩具銃用ガスカートリッジ取付装置に設けられた取付装置側係止部に係止する本体側第２係止部とを有し、
玩具銃用ガスカートリッジ取付装置は、
内部にガスカートリッジを収納され、
玩具銃本体への取付時には、玩具銃側の端部が玩具銃本体に設けられた取付装置収納部内に収納され、
玩具銃用ガスカートリッジ取付装置先端に設けられ、玩具銃本体への取付時には、玩具銃本体に設けられた本体側連結弁に接合される取付装置側連結弁と、
側面に設けられ、
玩具銃用ガスカートリッジ取付装置端部が玩具銃本体側に設けられた取付装置収納部へ収納された場合の取付時には、本体側第１係止部と係止する、とともに、玩具銃用ガスカートリッジ取付装置の玩具銃本体への取付状態からの離脱時には、本体側第２係止部と係止する取付装置側係止部と、
を備える玩具銃。
【請求項２】
内部にガスカートリッジを収納され、
玩具銃本体への取付時には、玩具銃側の端部が玩具銃本体に設けられた取付装置収納部内に収納され、
玩具銃用ガスカートリッジ取付装置先端に設けられ、玩具銃本体への取付時には、玩具銃本体に設けられた本体側連結弁に接合される取付装置側連結弁と、
側面に設けられ、
玩具銃用ガスカートリッジ取付装置端部が玩具銃本体側に設けられた取付装置収納部へ収納された場合の取付時には、本体側第１係止部と係止する、とともに、玩具銃用ガスカートリッジ取付装置の玩具銃本体への取付状態からの離脱時には、本体側第２係止部と係止する取付装置側係止部と、
を備える玩具銃用ガスカートリッジ取付装置。
【発明の詳細な説明】
【技術分野】
【０００１】
本発明は、玩具銃及び玩具銃用取付装置に係る。詳細には、ガスカートリッジを装着でき、このガスカートリッジ内の圧縮ガスによる圧力で弾丸を発射する玩具銃、及び、この玩具銃にガスカートリッジを取り付けるための玩具銃用ガスカートリッジ取付装置に係る。
【背景技術】
【０００２】
CO2ガス等の圧縮ガスを利用して弾丸を発射するエアガンのなかには、ガスボンベを着脱可能な装置である玩具銃用ガスカートリッジ取付装置（パンクチャーユニット）に入れた上で、その玩具銃用ガスカートリッジ取付装置を玩具銃本体に取り付けるものが存在する。
この方式は、ガスボンベを銃本体に直接入れて収納するものと比べると、射撃によるガスの変化に対応しやすい利点がある。すなわち、圧縮ガスをエネルギー源とするエアガンは通常、射撃後にガスが冷える。ガスが冷えると、ガスの膨張力が弱まるため、弾速が落ちたり、ブローバック式ガスガン玩具銃の場合は正常にブローバックしなくなったりするなど、正常に作動しなくなる問題点を有した。
ガスボンベを直接玩具銃本体に入れる方式の場合、いったん使用してガスが冷えてしまうと、暖かい場所に玩具銃を置くなどしないかぎり、ガスを暖めることが困難となる。
【０００３】
着脱可能な玩具銃用ガスカートリッジ取付装置を用いる方式の場合、玩具銃用ガスカートリッジ取付装置を交換すれば、直ちに玩具銃の使用を再開できるため便宜である。
すなわち、玩具銃本体に直接２本のガスボンベを収める方式では、２本のガスボンベをいちいち交換しなければならないため、煩瑣である。
それに対して、玩具銃用ガスカートリッジ取付装置を用いる方式の場合、ガスボンベを２本使用するエアガンでも、ガスボンベの交換に際して、１個のパンクチャーユニットを交換するだけで足りるので便宜である。
【０００４】
このような、玩具銃用ガスカートリッジ取付装置を用いる方式のエアガンのなかには、玩具銃用ガスカートリッジ取付装置に弾丸発射用のバルブを備えているタイプと、玩具銃用ガスカートリッジ取付装置自体にはバルブを備えないタイプとがある。
後者のタイプのエアガンでは、玩具銃本体に玩具銃用ガスカートリッジ取付装置をセットすることにより、玩具銃用ガスカートリッジ取付装置内のガスボンベのガスが玩具銃本体の気室に流入することになる。そして、弾丸発射のためトリガーを引くと、放出バルブが開いてガスが気室から急速に流出し、弾丸を発射させる。本件発明は、上記玩具銃用ガスカートリッジ取付装置を用い、かつ、バルブが玩具銃本体内に存するタイプのエアガンに係る。
【０００５】
この種タイプの玩具銃用ガスカートリッジ取付装置の従来例としては、特開２０１２−４２１１６号「玩具銃及び取付器具」がある（特許文献１）。すなわち、「玩具銃内に配置される気室ボディ１２２は、気室１２６を形成する。気室ボディ１２２内の圧縮ガスは、ガス排出部を通過し、弾丸保持部に保持された弾丸を銃口から発射させる。バルブは、操作部による操作に応じて、気室ボディ１２２とガス排出部との連通を開閉する。玩具銃は、複数のガスカートリッジ取付部２１０を備える。ガスカートリッジ取付部２１０には、ガスボンベ１０２が取り付けられる。各ガスカートリッジ取付部２１０には、第１の弁部が設けられる。ガスカートリッジ取付部２１０に取り付けられたガスボンベ１０２内の圧縮ガスは、ガス導入部３０１を経て、気室１２６内に導かれる。」からなる。
【０００６】
他方、交換等のために玩具銃用ガスカートリッジ取付装置を玩具銃から取り外す際、玩具銃本体の気室内に圧縮ガスが残留していると、ガスが急速に流出しようとするため、玩具銃用ガスカートリッジ取付装置が玩具銃本体から勢いよく飛び出す可能性がある。そこで、このような玩具銃用ガスカートリッジ取付装置の飛び出しを防止するため、玩具銃用ガスカートリッジ取付装置を玩具銃本体から取り外す際、以下のような二段構えの機構を設ける従来例がある。
【０００７】
従来の二段構えの機構は、図１５、図１６に図示の構造からなる。すなわち図１５は、従来例に係る玩具銃の玩具銃用ガスカートリッジ取付装置取付部付近の、玩具銃用ガスカートリッジ取付装置取付状態の一部拡大図、図１６は、従来例に係る玩具銃の玩具銃用ガスカートリッジ取付装置取付部付近の、玩具銃用ガスカートリッジ取付装置取外し過程状態で玩具銃用ガスカートリッジ取付装置とセカンドパンクチャーキャッチとが係合状態の一部拡大図である。
この従来例では、２０１は玩具銃本体である。２０２はバルブであり、図示されるように、玩具銃本体２０１内に固定されている。２０４は気室、２０５は本体側連結弁である。２１１は、玩具銃用ガスカートリッジ取付装置（パンクチャーユニット）であり、内部にガスボンベ２１２が2本収納される。
【０００８】
バルブ２０２と玩具銃用ガスカートリッジ取付装置２１１の係合を解く部材を第1係止部（パンクチャーキャッチ）２１３、玩具銃用ガスカートリッジ取付装置２１１が一旦係止する部材を第２係止部（セカンドパンクチャーキャッチ）２１４としている。
玩具銃用ガスカートリッジ取付装置２１１側面には、固定用溝２１５が設けられている。玩具銃用ガスカートリッジ取付装置２１１が、玩具銃本体２０１から外れかけると、玩具銃本体２０１側に設けられた第２係止部２１４の先端部に取り付けられたパンクチャーキャッチ係止部２１６が固定用溝２１５に嵌合し、これによって玩具銃用ガスカートリッジ取付装置２１１が一旦係止して固定される（図１６）。
【０００９】
玩具銃本体２０１の取付装置収納部２０３内に設けられた第1係止部２１３を押下すると、第1係止部２１３が回動して、パンクチャーキャッチ２１３と玩具銃用ガスカートリッジ取付装置２１１との係合が解ける。
そのとき、玩具銃本体２０１内の気室に存するガスの圧力によって、パンクチャーユニット２１１が玩具銃本体２０１から離脱しようとするが、第２係止部２１４の先端部に設けられたパンクチャー係止部２１６が玩具銃用ガスカートリッジ取付装置２１１の固定用溝２１５に嵌合する。
【００１０】
気室内のガスは、玩具銃用ガスカートリッジ取付装置２１１と気室２０４との間に存する空間を経て、玩具銃本体２０１の外へ排出される。
その後、第２係止部２１４を押下すると、第２係止部２１４と玩具銃用ガスカートリッジ取付装置２１１との係合が解けて、図１６に図示するように、玩具銃用ガスカートリッジ取付装置２１１が安全に取出可能になる。
【００１１】
すなわち、玩具銃本体２０１と玩具銃用ガスカートリッジ取付装置２１１との取外しにおける２段構えの機構は、図１５、図１６に図示されるように、以下の作用からなる。
（１）玩具銃本体２０１内のバルブ２０２と、玩具銃用ガスカートリッジ取付装置２１１の第1係止部２１３との係合を解いた直後に、玩具銃用ガスカートリッジ取付装置２１１をいったん玩具銃本体２０１に設けられた別の係止部材である第２係止部２１４に係止させる。
すると、玩具銃本体２０１内の気室内のガスは、玩具銃本体２０１外に流出するので、玩具銃用ガスカートリッジ取付装置２１１の飛び出しのおそれは、なくなる。
【００１２】
（２）係止した玩具銃用ガスカートリッジ取付装置２１１と上記の係止部材である第２係止部２１４との係止を解き、玩具銃用ガスカートリッジ取付装置を玩具銃本体２０１から取り出す。
出願人の出願に係る、特願２０１３−０７７２８４「玩具銃及び玩具銃用ガスカートリッジ取付装置」も、第１係止部と第２係止部を用い、２の動作を必要とする二段構えの機構に係るものである。
【先行技術文献】
【特許文献】
【００１３】
【特許文献１】特開２０１２−４２１１６号公報
【発明の概要】
【発明が解決しようとする課題】
【００１４】
しかしながら、従来例の場合、ガスカートリッジ取付装置を玩具銃本体から取り外す際には
（１）第１係止部を押す
次いで、
（２）第２係止部を押す
という２つの動作が必要となる課題を有した。
【００１５】
本発明の目的は、
第１係止部と第２係止部を連動させるようにし、第１係止部を指で押し、それを離すという一連の動作のみで、ガスカートリッジ取付装置の玩具銃本体からの取り出しを段階的に行いうるものとする。
これによって、高圧ガスを用いるエアガンにおいて、ガスカートリッジの交換が安全に、しかも従来よりも便利に行いうることとなる。
また、第１係止部の露出も大きくはないため、実銃を模倣して製作されるエアガンにとって重要な、実銃のデザインとの近似性に大きな影響を与えず、このようなエアガンの商品価値を損なわずに済むことで、課題を解決する手段を提供することである。
【課題を解決するための手段】
【００１６】
本発明の玩具銃は、
玩具銃本体と、玩具銃本体に取り付けられる玩具銃用ガスカートリッジ取付装置とを備え、
玩具銃本体は、
圧縮ガスを外部から導入し、玩具銃本体内部に供給する本体側連結弁と、
本体側連結弁の周囲に設けられた取付装置収納部と、
中間で、先端及び後端を、取付装置収納部内部方向又は取付装置収納部外部方向へ回転自在とさせる棒状体回転軸により取付装置収納部の側面に取り付けられ、先端は取付装置収納部の内部に向けて付勢される棒状体と、
取付装置収納部の上部に位置し、かつ、棒状体先端に設けられて、玩具銃用ガスカートリッジ取付装置の玩具銃本体側端部を、取付装置収納部の開口部から挿入させた玩具銃本体への取付時に、玩具銃用ガスカートリッジ取付装置に設けられた取付装置側係止部に係止する、本体側第１係止部と、
棒状体の、棒状体回転軸よりも後端側かつ本体側第１係止部より後端に設けられて、玩具銃用ガスカートリッジ取付装置の玩具銃本体への取付状態からの離脱時に、玩具銃用ガスカートリッジ取付装置に設けられた取付装置側係止部に係止する本体側第２係止部とを有し、
玩具銃用ガスカートリッジ取付装置は、
内部にガスカートリッジを収納され、
玩具銃本体への取付時には、玩具銃側の端部が玩具銃本体に設けられた取付装置収納部内に収納され、
玩具銃用ガスカートリッジ取付装置先端に設けられ、玩具銃本体への取付時には、玩具銃本体に設けられた本体側連結弁に接合される取付装置側連結弁と、
側面に設けられ、
玩具銃用ガスカートリッジ取付装置端部が玩具銃本体側に設けられた取付装置収納部へ収納された場合の取付時には、本体側第１係止部と係止する、とともに、玩具銃用ガスカートリッジ取付装置の玩具銃本体への取付状態からの離脱時には、本体側第２係止部と係止する取付装置側係止部と、
を備える。
【００１７】
あるいは、本発明の玩具銃用ガスカートリッジ取付装置は、
内部にガスカートリッジを収納され、
玩具銃本体への取付時には、玩具銃側の端部が玩具銃本体に設けられた取付装置収納部内に収納され、
玩具銃用ガスカートリッジ取付装置先端に設けられ、玩具銃本体への取付時には、玩具銃本体に設けられた本体側連結弁に接合される取付装置側連結弁と、
側面に設けられ、
玩具銃用ガスカートリッジ取付装置端部が玩具銃本体側に設けられた取付装置収納部へ収納された場合の取付時には、本体側第１係止部と係止する、とともに、玩具銃用ガスカートリッジ取付装置の玩具銃本体への取付状態からの離脱時には、本体側第２係止部と係止する取付装置側係止部と、を備える。
【発明の効果】
【００１８】
本発明によれば、第１係止部と第２係止部を連動させるようにした。
（１）第１係止部を押す
（２）第２係止部を押すという２つの取り外しの動作を１つにでき、操作性が向上して便利になる。
すなわち、
取付装置収納部の開口部から挿入させた玩具銃本体への取付時には、本体側第１係止部が、玩具銃用ガスカートリッジ取付装置に設けられた取付装置側係止部に係止する。
本体側第１係止部と取付装置側係止部との係止を解除すると、玩具銃用ガスカートリッジ取付装置がガス圧で下降し始める。
【００１９】
玩具銃用ガスカートリッジ取付装置の玩具銃本体への取付状態からの離脱時には、本体側第２係止部が、玩具銃用ガスカートリッジ取付装置に設けられた取付装置側係止部に係止する。
そのため、交換等のために玩具銃用ガスカートリッジ取付装置を銃から取り外す際、玩具銃用ガスカートリッジ取付装置が玩具銃本体から勢いよく飛び出す課題を解決するとともに、２つの取り外しの動作を１つにでき、操作性が向上する手段を提供する。
【図面の簡単な説明】
【００２０】
【図１】この発明の実施の形態に係る実施例の玩具銃用ガスカートリッジ取付装置を玩具銃本体に取付けた状態における左側外装を外した状態の斜視図である。
【図２】この発明の実施の形態に係る実施例の玩具銃用ガスカートリッジ取付装置を玩具銃本体に取付けた状態における側面断面図である。
【図３】この発明の実施の形態に係る実施例の棒状体の斜視図である。
【図４】この発明の実施の形態に係る実施例の第２係止部の斜視図である。
【図５】この発明の実施の形態に係る実施例の玩具銃用ガスカートリッジ取付装置を玩具銃本体に取付けた状態における左側外装を外した状態の一部拡大斜視図である。
【図６】この発明の実施の形態に係る実施例の玩具銃用ガスカートリッジ取付装置を玩具銃本体に取付けた状態における、本体側第１係止部が、玩具銃用ガスカートリッジ取付装置に設けられた取付装置側係止部に係止し取付状態にある一部拡大の側面断面図である。
【図７】この発明の実施の形態に係る実施例の玩具銃用ガスカートリッジ取付装置を玩具銃本体に取付けた状態における、本体側第１係止部が、玩具銃用ガスカートリッジ取付装置に設けられた取付装置側係止部に係止し取付状態から離脱する瞬間の側面断面図である。
【図８】図７の一部拡大断面図である。
【図９】この発明の実施の形態に係る実施例の玩具銃用ガスカートリッジ取付装置を玩具銃本体に取付けた状態における、本体側第２係止部が、玩具銃用ガスカートリッジ取付装置に設けられた取付装置側係止部に係止し取付状態の側面断面図である。
【図１０】図９の一部拡大断面図である。
【図１１】この発明の実施の形態に係る実施例の玩具銃用ガスカートリッジ取付装置を玩具銃本体に取付けた状態における、本体側第２係止部が、玩具銃用ガスカートリッジ取付装置に設けられた取付装置側係止部に係止し取付状態から離脱する瞬間の側面断面図である。
【図１２】図１１の一部拡大断面図である。
【図１３】この発明の実施の形態に係る実施例の玩具銃用ガスカートリッジ取付装置を玩具銃本体に取付途中の状態における側面断面図である。
【図１４】図１３の一部拡大断面図である。
【図１５】従来例の玩具銃用ガスカートリッジ取付装置を玩具銃本体に取付けた状態における、本体側第１係止部が取付装置側係止部に係止した状態の側面断面図である。
【図１６】従来例の玩具銃用ガスカートリッジ取付装置を玩具銃本体に取付けた状態における、本体側第２係止部が取付装置側係止部に係止した状態の側面断面図である。
【発明を実施するための形態】
【００２１】
この発明の実施の一形態に係る実施例を、実施例を表す図１乃至図１３に基づいて説明する。
本発明の玩具銃１１は、玩具銃本体１２と、玩具銃本体１２に取り付けられる玩具銃用ガスカートリッジ取付装置４１とからなる。玩具銃本体１２は、玩具銃本体１２の両側面を構成する玩具銃本体側面パネルからなり、これらで玩具銃本体１２の両側面を構成する。
【００２２】
玩具銃本体１２は、図２、図７、図９、図１１に図示されるように、玩具銃本体側面パネル内部に、気室１３、気室１３内に設置されるバルブ１４、バルブ１４の後部に、筒状をなし、玩具銃１１の前後方向に延びて、銃身の前後方向に移動自在であるボルト１５等が設けられる。
２１は、トリガーである。２２は、トリガーガードである。トリガーガード２２は、トリガー２１の下辺を含め、トリガー２１が玩具銃本体１２で覆われていない、トリガーが周囲に剥き出しとなっている下辺、及び前方側（銃口１９側）部分の周囲に設けられる。
【００２３】
ボルト１５は、使用者がトリガー２１を引くと前進を開始し、ボルトスプリング１５ｂとバルブ１４から供給される圧縮ガスの圧力とによって押圧位置と後退位置との間を往復する。１５ａは、当接部である。
バルブ１４の銃口１９寄りには、ガス排出部１６を介してバレル１７が設けられる。バルブ１４から供給される圧縮ガスが通過することにより、弾丸はバレル１７内を銃口１９方向に発射される。
【００２４】
１８は、本体側連結弁である。本体側連結弁１８は、バルブ１４の下部にバルブ１４に連結させて設けられるノズルからなる。本体側連結弁１８は、外部の玩具銃用ガスカートリッジ取付装置４１から圧縮ガスを導入し、その圧縮ガスを玩具銃本体１２内部にあるバルブ１４に供給する。
２３は、取付装置収納部である。取付装置収納部２３は、本体側連結弁１８の下方延長線上の周囲に下端を開口させて、筒状に設ける。取付装置収納部２３は、二重構造からなり、玩具銃用ガスカートリッジ取付装置４１が収納される側の内壁２３ａと、外面でグリップを構成する外壁２３ｂとからなる。内壁２３ａと外壁２３ｂとで、中空部２３ｃを構成する。
【００２５】
１０１は、棒状体である。棒状体１０１は、金属製棒状体からなる。
棒状体１０１上部先端には、本体側第１係止部１１１が設けられる。棒状体１０１それより下方へは図３に図示されるように、順に、第１係止部スプリング取付突起１１２、棒状体回転軸１１３、湾曲部１１４、第２係止部スプリング取付突起１１５、第１係止部操作部１１６が設けられる。
棒状体１０１は、中空部２３ｃ内に設置される。
【００２６】
棒状体回転軸１１３は、棒状体１０１の中間のやや先端寄り、図中上方寄りに設けられる。棒状体回転軸１１３は、棒状体１０１先端及び後端を、取付装置収納部２３内部方向又は取付装置収納部２３外部方向へ回転自在とさせる。棒状体回転軸１１３は、棒状体回転軸１１３により取付装置収納部２３の側面に取り付けられる。
棒状体回転軸１１３は、この実施例では棒状体に設けられるが、棒状体回転軸１１３は取付装置収納部２３に設けられ、棒状体１０１には、棒状体回転軸１１３を支える回転軸取付部を設けてもよい。
【００２７】
第１係止部スプリング１３１は、図５に図示されるように、取付装置収納部２３内に収納される本体側第１係止部１１１の第１係止部スプリング取付突起１１２と外壁２３ｂの内面との間に設置される。第１係止部スプリング１３１の付勢力により、本体側第１係止部１１１先端は、取付装置収納部２３の内部に向けて付勢される。
棒状体１０１は、玩具銃本体１２のグリップに相当する取付装置収納部２３内部の中空部２３ｃに設けられる。
【００２８】
本体側第１係止部１１１は、図３以下に図示されるように、取付装置収納部２３の上部、かつ、棒状体１０１先端に設けられる。本体側第１係止部１１１は、玩具銃用ガスカートリッジ取付装置４１の玩具銃本体１２側端部を、取付装置収納部２３の開口部から挿入させた、玩具銃用ガスカートリッジ取付装置４１の玩具銃本体１２への取付時に、玩具銃用ガスカートリッジ取付装置に設けられた取付装置側係止部４４に係止する。
【００２９】
１２１は、本体側第２係止部である。本体側第２係止部１２１は、実施例ではＵ字状の部材であるが、環状の部材でもよい。本体側第２係止部１２１のガスカートリッジ４２側の一部には、突起状からなる第２係止突起１２３が設けられる。
本体側第２係止部１２１は、Ｕ字状ないし環状部分を、棒状体１０１下部を巻くように取付けられる。本体側第２係止部１２１は、少なくとも、棒状体１０１下部のガスカートリッジ４２側内壁２３ａと取付装置収納部２３の内壁との間に設置される。
第２係止突起１２３は、棒状体１０１の、棒状体回転軸１１３よりも後端側、図中下側、かつ本体側第１係止部１１１より後端に設けられて、玩具銃用ガスカートリッジ取付装置４１の玩具銃本体１２への取付状態からの離脱時に、玩具銃用ガスカートリッジ取付装置４１側面に設けられた取付装置側係止部４４に係止する。
【００３０】
１２２は、第２係止部スプリングである。第２係止部スプリング１２２は、本体側第２係止部１２１のガスカートリッジ４２側の内側面と、棒状体１０１のガスカートリッジ４２側の側面に設けられる第２係止部スプリング取付突起１１５との間に設置される。第２係止部スプリング１２２は、本体側第２係止部１２１をガスカートリッジ４２方向に付勢する。
【００３１】
棒状体１０１の湾曲部１１４は、図面に図示されるように、ガスカートリッジ４２側から離れる方即ち外側に湾曲される。湾曲部１１４を湾曲させることにより、玩具銃本体１２のグリップに相当する取付装置収納部２３内部の大きさや玩具銃用ガスカートリッジ取付装置４１の大きさ次第で、本体側第２係止部１２１および第２係止部スプリング１２２の大きさを変えることにより、適切に作動する本体側第１係止部１１１および本体側第２係止部１２１を設けることが可能である。
【００３２】
第１係止部操作部１１６は、棒状体１０１の湾曲部１１４よりも後端、図中では下端に位置する。第１係止部操作部１１６を押し、あるいは離すことで玩具銃用ガスカートリッジ取付装置４１は、玩具銃本体１２から離脱させる。
【００３３】
次に、玩具銃用ガスカートリッジ取付装置４１について説明する。
玩具銃用ガスカートリッジ取付装置４１は、ケース状のアウターケース４３の中に、ガスカートリッジ４２は収納されている。玩具銃用ガスカートリッジ取付装置４１の玩具銃本体１２への取付時には、玩具銃側の端部が玩具銃本体１２に設けられた取付装置収納部２３内に収納され、玩具銃本体１２に取り付けられる。
図１は、玩具銃用ガスカートリッジ取付装置４１を玩具銃本体１２に組み込んだ状態、すなわち静止状態をあらわす。玩具銃用ガスカートリッジ取付装置４１は、この実施例では、内部にガスカートリッジ４２を１本収納するが、２本収納してもそれ以外の本数を収納してもよい。
【００３４】
４４は、取付装置側係止部である。取付装置側係止部４４は、玩具銃用ガスカートリッジ取付装置４１の側面に水平に溝状に設けられる。
玩具銃用ガスカートリッジ取付装置４１の玩具銃側端部が玩具銃本体１２側に設けられた取付装置収納部２３へ収納された場合の取付時には、本体側第１係止部と係止する。玩具銃用ガスカートリッジ取付装置４１の玩具銃本体１２への取付状態からの離脱時には、本体側第２係止部と係止する。
【００３５】
図５に図示されるように、玩具銃用ガスカートリッジ取付装置４１は、玩具銃本体１２に組み込まれて固定されている。本体側第１係止部１１１が玩具銃用ガスカートリッジ取付装置４１に係止することにより、玩具銃用ガスカートリッジ取付装置４１は玩具銃本体１２との係合状態となる。係合は、玩具銃用ガスカートリッジ取付装置４１に設けられた取付装置側係止部４４と、玩具銃本体１２側に設けられた本体側第１係止部１１１とにより行われる。
【００３６】
５１は、取付装置側連結弁である。取付装置側連結弁５１は、玩具銃用ガスカートリッジ取付装置４１先端に設けられ、玩具銃本体１２への取付時には、玩具銃本体１２に設けられた本体側連結部１８に接合される。
５２はパッキン、５３はボンベ開封パーツ、５４はパッキンである。５５は、取付装置側連結弁スプリングであり、取付装置側連結弁５１を付勢させて弁に閉状態をとらせる。
【００３７】
図２において、１５は、ボルトである。ボルト１５は、銃身、バレル（通路）１７の前後方向に移動自在である。ボルト１５は、利用者がトリガー２１を引くと前進を開始し、ボルトスプリングと圧縮ガスの圧力とによって押圧位置と後退位置との間を往復する。
ボルト１５が前進して押圧位置まで達すると、気室ボディの後方側の外周部分がボルト１５の開口端に嵌合する。ボルト１５がさらに前進すると、当接部１５ａが、嵌合孔内に突出しているバルブ１４の摺動突起１４ａを前方に押す。これにより、バルブ１４は前方側にスライド移動し、通路１７と気室１３との連通が開放される。
【００３８】
通路１７と気室１３との連通が開放されると、気室１３に満たされた圧縮ガスは、通路１７に流入し、弾丸保持部に保持された弾丸の後面を押す。その結果、弾丸は、銃口１９から飛び出す。バルブ１４は、気室１３と通路１７との連通を開閉する。
【００３９】
また、通路１７と気室１３との連通が開放されると、圧縮ガスは、当接部１５ａを後方に押す。これにより、ボルト１５は、後退を開始し、後退位置に達する。後退位置に達したボルト１５は、ボルトスプリング１５ｂに押されて再び前進する。そして、ボルト１５は、押圧位置に達すると、バルブ１４の摺動突起１４ａを前方に押す。このように、ボルト１５は、前進と後退とを繰り返す往復運動をする。そしてボルト１５は、一往復する間にバルブ１４に当接及び離反し、通路１７と気室１３との連通を開閉する。
当接部１５ａが摺動突起から離反すると、バルブスプリングはバルブ１４を後方に押し返す。これにより、バルブ１４は後方にスライド移動し、通路１７と気室１３との連通は閉止される。その後、気室１３内は、ガス導入路から供給される圧縮ガスで満たされる。
【００４０】
次に、実施例の作用について説明する。
図６に図示されるように、棒状体１０１は、棒状体回転軸１１３を中心に回動可能である。そのため、本体側第１係止部１１１は、ガスカートリッジ４２側に移動したり、ガスカートリッジ４２から離れる方向すなわち、外側へ、取付装置収納部２３内壁側へ移動することが可能である。
本体側第１係止部１１１は、第１係止部スプリング１３１によって銃口１９側に付勢されている。そのため、棒状体１０１の本体側第１係止部１１１と、玩具銃用ガスカートリッジ取付装置４１の取付装置側係止部４４が係合しており、玩具銃用ガスカートリッジ取付装置４１は玩具銃本体１２に固定されている。
【００４１】
本体側第２係止部１２１は、棒状体１０１の湾曲部１１４を巻くように設けられ、本体側第２係止部１２１と棒状体１０１の間に、第２係止部スプリング１２２が設けられる。
この形状を採用することにより、
（１）第１係止部操作部１１６を押圧すると、第２係止部スプリング１２２を介して本体側第２係止部１２１が前方に移動しようとするため、図７、図８に図示されるように本体側第２係止部１２１の第２係止突起１２３は、玩具銃用ガスカートリッジ取付装置４１が下降する間、玩具銃用ガスカートリッジ取付装置４１の側面に当接し続け、取付装置側係止部４４が本体側第２係止部１２１のところまで下がると、本体側第２係止部１２１は第２係止部スプリング１２２の付勢によってガスカートリッジ４２側に移動し、本体側第２係止部１２１の第２係止突起１２３は取付装置側係止部４４に嵌合することになる。
【００４２】
（２）第１係止部操作部１１６から指を放すと、湾曲部１１４の銃後端側側面が本体側第２係止部１２１の銃後端側の内側面を押圧して玩具銃後端側へ移動させる。その結果、本体側第２係止部１２１の第２係止突起１２３が取付装置側係止部４４から離反する。
【００４３】
図８は、図６の状態の後、第１係止部操作部１１６を指で押した瞬間を示す側面断面図である。図７は図８の全体図である。
第１係止部操作部１１６を指で押圧すると、棒状体１０１が、図中時計回りに少し回動し、棒状体１０１の本体側第１係止部１１１が、取付装置側係止部４４より離れ、玩具銃用ガスカートリッジ取付装置４１と棒状体１０１の係合が解ける。
そうすると、玩具銃用ガスカートリッジ取付装置４１はバルブ１４内に残留したガスの圧力により下降を始める。このとき、第２係止部スプリング１２２を介して、本体側第２係止部１２１が銃口側へ移動しようとするが、玩具銃用ガスカートリッジ取付装置４１に行き場を阻まれ移動することができない。
【００４４】
図１０は、図８の状態の後、玩具銃用ガスカートリッジ取付装置４１が本体側第２係止部１２１と係合して本体と固定している状態を示す、側面断面図である。図９は図１０の全体図である。
玩具銃用ガスカートリッジ取付装置４１と棒状体１０１の係合がすなわち、本体側第１係止部１１１と取付装置側係止部４４との係合が解けると、玩具銃用ガスカートリッジ取付装置４１はバルブ１４内に残留したガスの圧力により下降する。玩具銃用ガスカートリッジ取付装置４１の下降の間、本体側第２係止部１２１の銃口１９側に位置する第２係止突起１２３は、玩具銃用ガスカートリッジ取付装置４１との当接を保っている。
【００４５】
そして、玩具銃用ガスカートリッジ取付装置４１の取付装置側係止部４４に本体側第２係止部１２１の第２係止突起１２３が嵌合することにより、一旦、玩具銃用ガスカートリッジ取付装置４１が係止する。このとき、指は第１係止部操作部１１６から離れてはいない。
【００４６】
図１２は、図１０の状態の後、指を第１係止部操作部１１６から離した瞬間の側面断面図である。図１１は図１２の全体図である。
第１係止部操作部１１６から指を離すと、第１係止部スプリング１３１の付勢により、棒状体１０１が棒状体回転軸１１３を回転軸として、反時計回りに回動する。すると、棒状体１０１と本体側第２係止部１２１の玩具銃後端側内壁が接しているため、棒状体１０１に押されて本体側第２係止部１２１が玩具銃後端側へ移動する。
【００４７】
本体側第２係止部１２１が玩具銃後端側へ移動すると、本体側第２係止部１２１の第２係止突起１２３は取付装置側係止部４４から離反する。このため、本体側第２係止部１２１と玩具銃用ガスカートリッジ取付装置４１との係合が解ける。すなわち、第２係止突起１２３と取付装置側係止部４４との係合が解ける。その結果、玩具銃用ガスカートリッジ取付装置４１を玩具銃本体１２外へ取り出すことが可能になる。
【００４８】
図１３は、玩具銃用ガスカートリッジ取付装置４１を銃本体内に取付途中の状態を示す、側面断面図である。図１４は図１３の一部拡大図である。
玩具銃用ガスカートリッジ取付装置４１を、玩具銃本体１２内の取付装置収納部２３であるグリップ下方に位置する開口部より挿入すると、棒状体１０１が時計回りに少し回動するが、玩具銃用ガスカートリッジ取付装置４１との当接を保ちながら、玩具銃用ガスカートリッジ取付装置４１を上方へ押し入れる。そして、棒状体１０１の本体側第１係止部１１１が、玩具銃用ガスカートリッジ取付装置４１の取付装置側係止部４４に嵌合すると、玩具銃用ガスカートリッジ取付装置４１が玩具銃本体１２に固定される。
【００４９】
この実施例では、ガスカートリッジ取付装置４１を取り外すために第１係止部操作部１１６を手は離さないで押すと、本体側第１係止部１１１と取付装置側係止部４４とがはずれ、ガスカートリッジ取付装置４１が玩具銃本体１２から一旦外れる。同時に第２係止突起１２３が作用して取付装置側係止部４４に嵌合し、ガスカートリッジ取付装置４１を係止する。
この状態で第１係止部操作部１１６から手を離すと、第２係止突起１２３と取付装置側係止部４４が外れ、ガスカートリッジ取付装置４１の玩具銃本体１２からの取り外しが可能となる。
すなわち、第１係止部操作部１１６の一押し及び手放しで、ガスカートリッジ取付装置の段階的な取り外しを実現する。
【００５０】
すなわち、本発明によれば、棒状体１０１と本体側第２係止部１２１を連動させるようにした。そのため、
（１）棒状体１０１を押す
（２）本体側第２係止部１２１を押す
という２つの取り外しの動作を１つにでき、操作性が向上して便利になる。
【００５１】
そして、
（１）棒状体１０１を押下することにより、棒状体１０１と玩具銃用ガスカートリッジ取付装置４１との係止が解けて玩具銃用ガスカートリッジ取付装置４１がガス圧で下降し始める。
（２）棒状体１０１の押下によって本体側第２係止部１２１が前進し、下降する玩具銃用ガスカートリッジ取付装置４１のパンクチャー係止部４４に本体側第２係止部１２１が嵌合して係止する。そして、この時点では、まだ棒状体１０１は押下されたままである。
（３）押下していた棒状体１０１から指を離すと、本体側第２係止部１２１が後退して玩具銃用ガスカートリッジ取付装置４１と本体側第２係止部１２１の係止が解け、玩具銃用ガスカートリッジ取付装置４１が安全に取り出し可能になる。
【００５２】
このようにして、棒状体１０１を指で押し、それを離すという一連の動作のみで、ガスカートリッジ取付装置の取り出しを段階的に行いうるものとした。
高圧ガスを用いるエアガンにおいて、ガスカートリッジの交換が安全に、しかも従来よりも便利に行いうることとなる。また、棒状体１０１の露出も大きくはないため、実銃を模倣して製作されるエアガンにとって重要な、実銃のデザインとの近似性に大きな影響を与えず、このようなエアガンの商品価値を損なわずに済む。
【００５３】
なお、本発明は、トリガーを引き続ける限り弾丸を発射しつづけるフルオートマチックの銃のほか、
（１）トリガーを引くと、１発弾丸を発射するセミオートマチックの玩具銃
（２）トリガーを引くと数発弾丸を発射するバースト射撃を行う玩具銃
を含むものであって、ボルト１５他の作動は、これら玩具銃の種類に応じて作動するものである。
【００５４】
この発明に係る実施例では、あたかも装薬銃で弾倉を着脱するかのように、玩具銃用ガスカートリッジ取付装置４１を着脱することが可能になり、実銃のデザインとの近似性が増す。
【００５５】
この実施例では、［００２９］項に記載のように、突起状からなる第２係止突起１２３が設けられ、本体側第２係止部１２１は、Ｕ字状ないし環状部分を、棒状体１０１下部を巻くように取付けられる。
仮に、棒状体１０１下部に直接、第２係止突起１２３を取付け一体化した場合は、第１係止部操作部１１６を押圧しても、第２係止突起１２３先端が玩具銃用ガスカートリッジ取付装置４１に干渉して押すことができない場合が生ずる。
仮に、第２係止突起１２３先端の玩具銃用ガスカートリッジ取付装置４１との干渉を避けるため、第２係止突起１２３の長さを短くすると、第１係止部操作部１１６を押圧しても、本体側第１係止部１１１も第２係止突起１２３も玩具銃用ガスカートリッジ取付装置４１を係止できない状態となる可能性がある。更に、第２係止突起１２３を更に押圧する必要が生ずる。
【００５６】
仮に、第２係止突起１２３先端の玩具銃用ガスカートリッジ取付装置４１との干渉を避けるため、第２係止突起１２３の長さを短くするのではなく、玩具銃用ガスカートリッジ取付装置４１側面を切り欠いた場合、本体側第１係止部１１１が玩具銃用ガスカートリッジ取付装置４１側面と干渉して、第２係止突起１２３の係止を解除できない場合が生じうる。
玩具銃用ガスカートリッジ取付装置４１側面との干渉を避けるには、玩具銃用ガスカートリッジ取付装置４１側面を削る必要がでる問題を有する。
【００５７】
仮に、本体側第２係止部１２１が、Ｕ字状ないし環状部分を有さず、棒状体１０１下部を巻くように取付けられていない場合は、本体側第２係止部１２１と、取付装置側係止部４４が嵌合後、嵌合を解除するときに問題を生ずる可能性がある。
すなわち、玩具銃本体１２を通常の向きで持つ場合、本体側第２係止部１２１には、玩具銃用ガスカートリッジ取付装置４１の取付装置側係止部４４と外装に設けられている本体側第２係止部１２１下部の壁によって、本体側第２係止部１２１を挟み込む力が加えられている。本体側第２係止部１２１と玩具銃用ガスカートリッジ取付装置４１の取付装置側係止部４４の嵌合を解除するには、本体側第２係止部１２１は、挟み込む力に抗して玩具銃本体１２後端へ移動する必要がある。
【００５８】
そのためには、本体側第２係止部１２１と第２係止部スプリング１２２の接続、同時に棒状体１０１と第２係止部スプリング１２２の接続、この両方の接続力が挟み込む力に対し、十分に抗せることが必要である。仮に、本体側第２係止部１２１と第２係止部スプリング１２２の接続力が、挟み込む力に抗し切れなかった場合、本体側第２係止部１２１と第２係止部スプリング１２２は外れてしまう。
また、第２係止部スプリング１２２自体の強度が十分で無かった場合は、使用しているうちに、第２係止部スプリング１２２が伸びてしまい、係止が解けなくなる場合も想定される。
【符号の説明】
【００５９】
１１  玩具銃
１２  玩具銃本体
１８  本体側連結弁
２１  トリガー
２２  トリガーガード
２３  取付装置収納部
４１  玩具銃用ガスカートリッジ取付装置
４２  ガスカートリッジ
４４  取付装置側係止部
５１  取付装置側連結弁
１１１  本体側第１係止部
１２１  本体側第２係止部
１２３  第２係止突起
【図１】
2014224634.tif 000003
【図２】
2014224634.tif 000004
【図３】
2014224634.tif 000005
【図４】
2014224634.tif 000006
【図５】
2014224634.tif 000007
【図６】
2014224634.tif 000008
【図７】
2014224634.tif 000009
【図８】
2014224634.tif 000010
【図９】
2014224634.tif 000011
【図１０】
2014224634.tif 000012
【図１１】
2014224634.tif 000013
【図１２】
2014224634.tif 000014
【図１３】
2014224634.tif 000015
【図１４】
2014224634.tif 000016
【図１５】
2014224634.tif 000017
【図１６】
2014224634.tif 000018